(57)【特許請求の範囲】
【請求項１】
ロックボルト等の長尺の土木用アンカーの頭部を受入れ可能で内部に防錆剤を貯留するアンカー径より若干大きな内径のキャップ部と前記アンカーの頭部に螺着されるナット部が一体に形成され、前記キャップ部に形成した孔に栓用ボルトが螺着されることを特徴とする土木用アンカー用キャップ付きナット。
【請求項２】
支圧板に形成された挿通孔に挿通して前記支圧板の表面より頭部側を突出させたロックボルト等の長尺の土木用アンカーと、前記支圧板上に座金を介して載置されるワッシャーと、前記アンカーの頭部を受入れ可能で内部に防錆剤を貯留するアンカー径より若干大きな内径のキャップ部と前記アンカーの頭部に螺着されるナット部が一体に形成されたアンカー用キャップ付きナットとを有し、前記アンカー用キャップ付きナットは前記ナット部を前記アンカーの頭部に螺着することで、前記ナット部を前記ワッシャーに圧着固定することを特徴とする土木用アンカーの取付装置。
【発明の詳細な説明】
【０００１】
【発明の属する技術分野】
この発明は、斜面の安定に用いるロックボルト等の長尺の土木用アンカーに適用されるキャップ付きナット及びその土木用アンカーの取付装置に関し、より詳しくは、長尺の土木用アンカーの頭部との接続部分に対する防錆が可能なアンカー用キャップ付きナット及びアンカーの取付装置に関する。
【０００２】
【従来の技術】
土木用のアンカーとして、引張り力を伝達するためのＰＣ鋼線やＰＣ鋼より線、異形ＰＣ鋼棒などからなる、いわゆるグランドアンカーやロックボルトなどが広く知られている。
【０００３】
この種のアンカーの頭部との接続部分に関する防錆技術として、例えば特開平９−１９５２７２号に記載されるものがある。このものでは、アンカーの上方部を保護する筒状の補助シースを形成し、この補助シースの頭部側を支圧板に形成された挿通孔に挿通して上端部を支圧板の表面より突出させ、その上端部をアンカーの定着具を介して押圧し、さらにキャップを定着部に螺着してアンカーの頭部を覆い、このキャップ内に防錆剤が貯留されている。
【０００４】
【発明が解決しようとする課題】
ところで、特開平９−１９５２７２号に記載されるものでは、アンカーの定着部品と頭部の防錆部品を別々の部品で組立ているので、組立が煩雑で、しかも防錆のためのキャップが定着部品を覆う構造であり、その分キャップの内容量も大きく防錆剤が多く必要であった。
【０００５】
また、アンカーの頭部を覆うキャップの大きさが大きいので、支圧板の内部に埋設した場合、コンクリート断面を大きく削るので断面欠損が大きくなり、そのための補強に躯体断面自体を大きくするなど、不経済であった。
【０００６】
この発明は、かかる点に鑑みてなされたもので、定着部品と防錆のためのキャップ部品を一体化することにより組立が容易で、しかも防錆のためのキャップの内容量も小さくすることが可能なアンカー用キャップ付きナット及びアンカーの取付装置を提供することを目的としている。
【０００７】
【課題を解決するための手段】
前記課題を解決し、かつ目的を達成するために、この発明は、以下のように構成した。
【０００８】
請求項１記載の発明は、ロックボルト等の長尺の土木用アンカーの頭部を受入れ可能で内部に防錆剤を貯留するアンカー径より若干大きな内径のキャップ部と前記アンカーの頭部に螺着されるナット部が一体に形成され、前記キャップ部に形成した孔に栓用ボルトが螺着されることを特徴とする土木用アンカー用キャップ付きナットを採用した。
【０００９】
この請求項１記載の発明によれば、ロックボルト等の長尺の土木用アンカーの頭部を受入れ可能で内部に防錆剤を貯留するアンカー径より若干大きな内径のキャップ部とアンカーの頭部に螺着されるナット部を一体に形成することで、定着部品と防錆のためのキャップ部品を一体化でき組立が容易で、しかも防錆のためのキャップの内容量も小さくすることが可能である。
【００１０】
請求項２記載の発明は、支圧板に形成された挿通孔に挿通して前記支圧板の表面より頭部側を突出させたロックボルト等の長尺の土木用アンカーと、前記支圧板上に座金を介して載置されるワッシャーと、前記アンカーの頭部を受入れ可能で内部に防錆剤を貯留するアンカー径より若干大きな内径のキャップ部と前記アンカーの頭部に螺着されるナット部が一体に形成されたアンカー用キャップ付きナットとを有し、前記アンカー用キャップ付きナットは前記ナット部を前記アンカーの頭部に螺着することで、前記ナット部を前記ワッシャーに圧着固定することを特徴とする土木用アンカーの取付装置を採用した。
【００１１】
この請求項２記載の発明によれば、アンカー用キャップ付きナットはナット部をアンカーの頭部に螺着することで、ナット部をワッシャーに圧着固定し、アンカー用キャップ付きナットはキャップ部とナット部が一体に形成されているから、部品点数が少なく、組立が容易である。また、アンカー用キャップ付きナットは、キャップ部の内容量がアンカーの頭部の径より若干大きな外径なので、従来と比較して防錆剤の使用量を軽減して経済的である。
【００１２】
【発明の実施の形態】
以下、この発明のアンカー用キャップ付きナット及びアンカーの取付装置の実施の形態を図面に基づいて詳細に説明する。
【００１３】
先ず、図１乃至図３に示すアンカーの取付装置を説明する。図１はこの発明の一実施例として全ネジボルト状の異形ＰＣ鋼棒からなるロックボルトをアンカーとして採用し、シースを用いて覆ったタイプのアンカーに適用した場合の断面図、図２はアンカーの取付装置の拡大図、図３はアンカー用キャップ付きナットを示し、図３（ａ）は断面図、図３（ｂ）は正面図、図３（ｃ）は図３（ｂ）の左側面図、図３（ｄ）は図３（ｂ）の右側面図である。
【００１４】
図中、１はアンカーで、全ネジボルト状の異形ＰＣ鋼棒からなるロックボルトが使用され、シース３によって覆われている。このアンカー１及びシース３は、法面等の地盤４に形成された削孔５に挿入され、アンカー１はシース３の内外に注入されるグラウト材６によって地盤４に対して定着される。
【００１５】
この実施の形態のアンカー１は、支圧板７に形成された挿通孔７ａに挿通して支圧板７の表面より頭部１ａ側を突出させている。支圧板７上には座金８を介してワッシャー９が載置され、このワッシャー９は挿通孔９ａの周囲に凹状球面部９ｂを有する。アンカー１の頭部１ａには、アンカー用キャップ付きナット１０が螺着される。
【００１６】
このアンカー用キャップ付きナット１０は、防錆剤である防錆オイル等が充填されて貯留するキャップ部１０ａとアンカー１の頭部１ａに螺着されるナット部１０ｂが一体に形成されている。キャップ部１０ａは、防錆剤を入れるための袋状の空間を有し、その一部である先端部には、空気抜き、または、余分なオイルを排出するための孔１０ａ１が形成され、この孔１０ａ１に栓用ボルト１２が螺着される。この孔１０ａ１は１個に限定されず、２個設けてもよい。また、キャップ部１０ａと栓用ボルト１２の頭部との間はＯリング２０によりシールされる。
【００１７】
ナット部１０ｂは先端に凸状球面部１０ｂ１を有し、内部には雌ネジ１０ｂ２が形成され、ナット部１０ｂの雌ネジ１０ｂ２をアンカー１の頭部１ａに螺着することで、このナット部１０ｂの凸状球面部１０ｂ１がワッシャー９の凹状球面部９ｂに確実に圧着固定される。
【００１８】
このアンカー用キャップ付きナット１０は、ステンレス材または、亜鉛メッキ、電気メッキ、あるいは、樹脂コーティング等により防錆のための表面処理をしたもの等を使用する。ワッシャー９及び座金８についても同様の処理のものを使用する。アンカー１が支圧板７の表面より表に出る長さが一定の範囲内であれば使用できるようにキャップ部１０ａ部分をある程度の長さを持たせる。使用時は、ナット部１０ｂ部分を上にしてグリース状の防錆オイルを、ナット部１０ｂの半分位までの位置になるまで詰める。
【００１９】
次に、アンカー用キャップ付きナット１０は、栓用ボルト１２を孔１０ａ１から取り外しておき、アンカー１の頭部１ａに螺着していくと、キャップ部１０ａ内の空気及び余分な防錆オイルが孔１０ａ１より出てくる。そして、ナット部１０ｂの凸状球面部１０ｂ１がワッシャー９の凹状球面部９ｂに圧着固定された後、栓用ボルト１２を孔１０ａ１に螺着することにより組立作業が終了する。アンカー用キャップ付きナット１０は、通常の六角ナットの後部にオイルキャップがついた構造でも良く、キャップ部１０ａの外径は円形でもナット部１０ｂと同じく六角形でも良い。
【００２０】
このようにアンカー用キャップ付きナット１０はナット部１０ｂをアンカー１の頭部１ａに螺着することで、このナット部１０ｂの凸状球面部１０ｂ１をワッシャー１０の凹状球面部９ｂに圧着固定する。このアンカー用キャップ付きナット１０はキャップ部１０ａとナット部１０ｂが一体に形成されているから、部品点数が少なく、組立が容易である。
【００２１】
また、アンカー用キャップ付きナット１０は、キャップ部１０ａとナット部１０ｂを一体化することにより、キャップ部１０ａを極力小さくすることができる。
【００２２】
また、キャップ部１０ａとナット部１０ｂを一体化させることにより、支圧板７とアンカー１とが９０°になっていなくても、キャップ部１０ａは、この角度のずれ分を見込んで大きくする必要はない。アンカー用キャップ付きナット１０のキャップ部１０ａの内径は、アンカー１の外径よりほんの少しだけ大きくしておけば良いことになる。したがって、従来と比較して防錆剤の使用量を軽減できて経済的である。
【００２３】
また、アンカー用キャップ付きナット１０とワッシャー９及び座金８とワッシャー９の間からアンカー１への水の進入は、シース３により防止することができ、シース３との併用により、アンカー１の頭部全体としての防錆機能が確実となる。
【００２４】
次に、他の実施の形態のアンカーの取付装置を図４に示す。図４はアンカーの取付装置の拡大図である。この実施の形態は、図１乃至図３の実施の形態と同様に構成されるが、この実施の形態では座金８とワッシャー９とを、一体に形成している。座金８とワッシャー９とを、一体に形成したから、部品点数が少なく、取付けが容易になる。
【００２５】
次に、他の実施の形態のアンカーの取付装置を図５及び図６に示す。図５はこの発明の一実施例として全ネジボルト状の異形ＰＣ鋼棒からなるロックボルトをアンカーとして採用し、シースを用いて覆ったタイプのアンカーに適用した場合の断面図、図６はアンカーの取付装置の拡大図である。
【００２６】
この実施の形態では、図１乃至図３の実施の形態を同じ部材は、同じ符号を付して説明を省略する。この実施の形態のアンカー用キャップ付きナット１０は、防錆剤を貯留するキャップ部１０ａとアンカー１の頭部１ａに螺着されるナット部１０ｃが一体に形成されている。ナット部１０ｃは、先端部に凹状球面部１０ｃ１を有し、内部には雌ネジ１０ｂ２が形成され、ナット部１０ｃの雌ネジ１０ｂ２をアンカー１の頭部１ａに螺着することで、ナット部１０Ｃの凹状球面部１０ｃ１がワッシャー９の凸状球面部９ｃに圧着固定される。
【００２７】
このようにアンカー用キャップ付きナット１０はナット部１０ｃをアンカー１の頭部１ａに螺着することで、このナット部１０ｃの凹状球面部１０ｃ１をワッシャー９の凸状球面部９ｃに圧着固定する。このアンカー用キャップ付きナット１０はキャップ部１０ａとナット部１０ｃが一体に形成されているから、部品点数が少なく、組立が容易である。また、アンカー用キャップ付きナット１０は、キャップ部１０ａの内径がアンカー１の頭部１ａの外径より若干大きいだけなので、従来と比較して防錆剤の使用量を軽減できて経済的である。
【００２８】
さらに、他の実施の形態のアンカーの取付装置を図７に示す。図７はアンカーの取付装置の拡大図である。この実施の形態は、図５及び図６の実施の形態と同様に構成されるが、この実施の形態では座金８とワッシャー９とを、一体に形成している。
【００２９】
また、他の実施の形態のアンカーの取付装置を図８に示す。図８はアンカーの取付装置の拡大図である。この実施の形態は、図１乃至図３の実施の形態と同様に構成されるが、この実施の形態では支圧板７のアンカー取付け位置にアンカー１の頭部１ａが埋設される凹部７ｂを設け、この凹部７ｂ内にアンカー用キャップ付きナット１０が位置するようにしている。上部からの落石等によりアンカー１の頭部１ａやアンカー用キャップ付きナット１０が破損する恐れがあるので、支圧板７の凹部７ｂ内部に埋設した方がよく、その場合小さな内径の凹部７ｂでよいので、支圧板７の断面欠損が小さくなり、小さな断面欠損を考慮した支圧板７の設計でよいので、経済的で合理的な形で斜面の安定が得られる。
【００３０】
なお、以上の実施例においては、アンカーとしてロックボルトを採用したアンカーに適用した場合を例に説明したが、前述のように、この発明はアンカーとしてグランドアンカー等を採用し、またシースを用いないタイプのアンカーに対しても適用し得るものである。また、アンカーとしても、前記異形ＰＣ鋼棒に代え、ＰＣ鋼線やＰＣ鋼より線等の他のＰＣ鋼材を用いたアンカーに対しても適用することができる。
【００３１】
【発明の効果】
前記したように、請求項１記載の発明では、ロックボルト等の長尺の土木用アンカーの頭部を受入れ可能で内部に防錆剤を貯留するアンカー径より若干大きな内径のキャップ部とアンカーの頭部に螺着されるナット部を一体に形成したので、定着用の部品と防錆のためのキャップ部品が一体化され、部品点数が少なく、ナット部をアンカー頭部に螺着するだけでよいから組立が容易で、しかもキャップ部の内径はアンカー径より若干大きいだけであるから、防錆のためのキャップ部の内容量も小さくすることが可能で、従来と比較して防錆剤の使用量を軽減できて経済的である。
【００３２】
請求項２記載の発明では、アンカー用キャップ付きナットのナット部をアンカーの頭部に螺着することで、簡便にワッシャーに圧着固定でき、しかもそのアンカー用キャップ付きナットはキャップ部とナット部が一体に形成されているから、部品点数が少ないので組立が容易である。また、アンカー用キャップ付きナットのキャップ部の内径はアンカー径より若干大きいだけであるから、請求項１の発明と同様に従来と比較して防錆剤の使用量を軽減できて経済的である。
【図面の簡単な説明】
【図１】  全ネジボルト状の異形ＰＣ鋼棒からなるロックボルトをアンカーとして採用し、シースを用いて覆ったタイプのアンカーに適用した場合の断面図である。
【図２】  アンカーの取付装置の拡大図である。
【図３】  アンカー用キャップ付きナットを示す図である。
【図４】  他の実施の形態のアンカーの取付装置の拡大図である。
【図５】  他の実施の形態の全ネジボルト状の異形ＰＣ鋼棒からなるロックボルトをアンカーとして採用し、シースを用いて覆ったタイプのアンカーに適用した場合の断面図である。
【図６】  他の実施の形態のアンカーの取付装置の拡大図である。
【図７】  他の実施の形態のアンカーの取付装置の拡大図である。
【図８】  他の実施の形態のアンカーの取付装置の拡大図である。
【符号の説明】
１…アンカー、７…支圧板、８…座金、９…ワッシャー、１０…アンカー用キャップ付きナット
【図１】
0003730035.tif 000002
【図２】
0003730035.tif 000003
【図３】
0003730035.tif 000004
【図４】
0003730035.tif 000005
【図５】
0003730035.tif 000006
【図６】
0003730035.tif 000007
【図７】
0003730035.tif 000008
【図８】
0003730035.tif 000009